(57)【要約】廃タイヤなどを焼却し、発生するガスを高温高圧状態で燃焼させることにより完全燃焼させると共に、ダイオキシンなどの発生を抑制し、一般ボイラー及び産業用ボイラーなどに利用できるようにした焼却装置を提供する。廃タイヤなどの焼却物が装填される焼却室１８０が備えられ、焼却室１８０の上部に、外部コントロール装置によって開閉できる蓋部１１０が設けられたガス発生炉１００と、ガス発生炉１００からのガスが流入部２２２を経て燃焼器２２０に流入された後、点火部２２４で燃焼されるが、不完全燃焼されたガスが循環空気注入管２１６からの循環空気によって循環通路２１８に沿って流入部２２２に再流入されるように構成された燃焼部２００と、胴体内に複数個のガス循環管３１０が備えられ、連結管１０ｂを介して流入された高温の燃焼ガスがガス循環管３１０を介して循環され、ガス循環管３１０から放出される熱が暖房暖房水流入管３１２を介して外部から流入された水を加熱して暖房水排出管３１４に排出される吸熱部３００と、サイクロン４００とから構成される。
2004532965.tif 000002
【特許請求の範囲】
【請求項１】
焼却装置において、
廃タイヤなどの焼却物が装填される焼却室（１３０）が備えられ、前記焼却室（１３０）の上部に、外部コントロール装置によって開閉できるように構成された上・下部蓋（１１４、１１６）を有する蓋部（１１０）が設けられたガス発生炉（１００）と、
ガス発生炉（１００）に連結管（１０ａ）によって連結され、壁体が断熱煉瓦で断熱処理され、前記ガス発生炉（１００）からのガスが流入部（２２２）を経て燃焼器（２２０）に流入された後、点火部（２２４）で点火器（２２８）によって点火されて燃焼されるが、不完全燃焼されたガスは循環空気注入管（２１６）からの循環空気によって循環通路（２１８）に沿って流入部（２２２）に再流入されるように構成された燃焼部（２００）と、
前記燃焼部（２００）に連結管（１０ｂ）によって連結され、胴体内に複数個のガス循環管（３１０）が備えられ、連結管（１０ｂ）を介して流入された高温の燃焼ガスが前記ガス循環管（３１０）を介して循環され、前記ガス循環管（３１０）から放出される熱が暖房水流入管（３１２）を介して外部から流入された水を加熱して暖房水排出管（３１４）に排出されるように形成された吸熱部（３００）と、
前記吸熱部（３００）に連結管（１０ｃ）によって連結され、前記吸熱部（３００）を通過した廃ガスが、前記廃ガスに含まれた埃などの集塵過程を経て空気中に排出されるように形成されたサイクロン（４００）とから構成されることを特徴とする焼却装置。
【請求項２】
前記蓋部（１１０）は、上・下部ケース（１１１ａ、１１１ｂ）が一体に形成された２段構造であり、それぞれのプレート（１１２ａ、１１２ｂ）の下面には上・下部蓋（１１４、１１６）が一体に形成され、それぞれのプレート（１１２ａ、１１２ｂ）の上面両側にはラックギヤ（１２４）が設けられ、それぞれのプレート（１１２ａ，１１２ｂ）の両側面には複数個のローラ（１１８）が結合されるが、前記ローラ（１１８）が上・下部ケース（１１１ａ、１１１ｂ）内部の両側面に設けられた案内レール（１２８）に対応して上・下部プレート（１１２ａ、１１２ｂ）を摺動させ得るように形成され、ピニオンギヤ（１２２）が駆動モータ（１２６）に連設されたギヤ軸（１２０）の両端側に結合され、前記ラックギヤ（１２４）に歯合されることを特徴とする請求項１記載の焼却装置。
【発明の詳細な説明】
【技術分野】
【０００１】
本発明は廃タイヤなどの廃ゴムを焼却し、発生する高温の熱を用いるように構成された焼却装置に係り、さらに詳しくはガス発生炉で廃ゴム類などの焼却物を焼却し、発生する高温高圧のガスを断熱処理された燃焼部で高温集中方式によって燃焼させることにより、高効率の焼却を行うだけでなく、ガスを完全燃焼に近い状態で燃焼されるようにして汚染物質の排出を最少化し、前記燃焼部からの高温の熱を用いて暖房水などを供給し得るようにした焼却装置に関する。
【背景技術】
【０００２】
一般に、従来の焼却装置は、単に焼却の機能を行わすためだけに考案されたもので、廃資材（木）などを焼却炉に装填して火を付けて焼却するため、高温の熱を発生することができず、燃焼時に発生する煤煙などの汚染物質が排出されるという問題がある。これを解決するために、本出願人は韓国特願第１０−１９９７−５１６４８号（韓国特開第１０−１９９８−３２９９号、１９９８年３月３０日公開）の「廃合成樹脂焼却装置とこれを用いた代替燃料型産業用ボイラー」を案出している。これを一層進歩させたものが本発明である。
【発明の開示】
【発明が解決しようとする課題】
【０００３】
本発明は、廃タイヤなどの廃資材を焼却し、発生するガスを高温高圧状態で燃焼させることにより、完全燃焼させると共に、ダイオキシンなどの汚染物質の発生を抑制し、高温の熱を用いて一般ボイラー及び産業用ボイラーなどに利用できるようにした焼却装置を提供することを目的としている。
【課題を解決するための手段】
【０００４】
上記目的を達成するための本発明に係る焼却装置は、廃タイヤなどの焼却物が装填される焼却室が備えられ、前記焼却室の上部に、外部コントロール装置によって開閉できるように構成された上・下部蓋を有する蓋部が設けられたガス発生炉と、ガス発生炉に連結管によって連結され、壁体が断熱煉瓦で断熱処理され、前記ガス発生炉からのガスが流入部を経て燃焼器に流入された後、点火部で点火器によって点火されて燃焼されるが、不完全燃焼されたガスは循環空気注入管からの循環空気によって循環通路に沿って流入部に再流入されるように構成された燃焼部と、前記燃焼部に連結管によって連結され、胴体内に複数個のガス循環管が備えられ、連結管を介して流入された高温の燃焼ガスが前記ガス循環管を介して循環され、前記ガス循環管から放出される熱が暖房水流入管を介して外部から流入された水を加熱して暖房水排出管に排出されるように形成された吸熱部と、前記吸熱部に連結管によって連結され、前記吸熱部を通過した廃ガスが、前記廃ガスに含まれた埃などの集塵過程を経て空気中に排出されるように形成されたサイクロンとから構成されている。
【発明の効果】
【０００５】
本発明に係る焼却装置によれば、廃タイヤなどの焼却物を焼却し、発生する燃焼ガスを完全燃焼に近い状態で燃焼させることにより汚染物質の発生を抑制し、高温の熱を用いて暖房水を加熱するので、一般ボイラー及び産業用ボイラーなどに適用することができる。
【発明を実施するための最良の形態】
【０００６】
以下、本発明を図１乃至図４に基づいて詳細に説明する。
【０００７】
図１は本発明による焼却装置の蓋部を一部切り欠いて示した斜視図、図２は本発明による焼却装置の要部断面図、図３は本発明による焼却装置の燃焼部の拡大断面図、図４は図１のＡ部の拡大図である。
【０００８】
まず、本発明の基本的な構成を説明する。本発明の焼却装置は、廃タイヤなどの焼却物が装填される焼却室１３０が備えられ、前記焼却室１３０の上部に、外部コントロール装置によって開閉できるように構成された上部蓋１１４および下部蓋１１６を有する蓋部１１０が設けられたガス発生炉１００と、前記ガス発生炉１００に連結管１０ａによって連結され、壁体が断熱煉瓦で断熱処理され、前記ガス発生炉１００からのガスが流入部２２２を介して燃焼器２２０に流入された後、点火部２２４で点火器２２８によって点火されて燃焼されるが、不完全燃焼されたガスが循環空気注入管２１６からの循環空気によって循環通路２１８に沿って流入部２２２に再流入されるように構成された燃焼部２００と、前記燃焼部２００に連結管１０ｂによって連結され、胴体内に複数個のガス循環管３１０が備えられ、連結管１０ｂを介して流入された高温の燃焼ガスが前記ガス循環管３１０を介して循環し、前記ガス循環管３１０から放出される熱が暖房暖房水流入管３１２を介して外部から流入された水を加熱して暖房水排出管３１４に排出されるように形成された吸熱部３００と、前記吸熱部３００に連結管１０ｃによって連結され、前記吸熱部３００を通過した廃ガスが、前記廃ガスに含まれた埃などの集塵過程を経て空気中に排出されるように形成されたサイクロン４００とから構成される。
【０００９】
前記蓋部１１０は、上部ケース１１１ａおよび下部ケース１１１ｂが一体に形成された２段構造であり、それぞれのプレート１１２ａ、１１２ｂの下面には上部蓋１１４および下部蓋１１６が一体に形成され、それぞれのプレート１１２ａ、１１２ｂの上面両側にはラックギヤ１２４が設けられている。また、それぞれのプレート１１２ａ、１１２ｂの両側面には複数個のローラ１１８が結合されるが、前記ローラ１１８が上部ケース１１１ａおよび下部ケース１１１ｂ内部の両側面に設けられた案内レール１２８に対応して上部プレート１１２ａおよび下部プレート１１２ｂを摺動させ得るように形成され、ピニオンギヤ１２２が駆動モータ１２６に連設されたギヤ軸１２０の両端側に結合されて前記ラックギヤ１２４に歯合される。
【００１０】
次に、本発明を好適な実施例によって詳細に説明する。
【００１１】
ガス発生炉１００の焼却室１３０に廃タイヤなど廃合成樹脂の焼却物が装填されると、外部点火手段によって点火されて焼却される。
【００１２】
この際、前記焼却室１３０の上部に形成された上部蓋１１４および下部蓋１１６は、外部コントロールボックス（図示せず）で開閉時間が調節される。前記コントロールボックスは駆動モータ１２６と電線などによって連結されている。
【００１３】
これにより、前記コントロールボックスの調節によって駆動モータ１２６が一定時間ごとに駆動されると、駆動モータ１２６に連設されたギヤ軸１２０が回動し、前記ギヤ軸１２０の両端側に結合されたピニオンギヤ１２２が回動する。
【００１４】
前記ピニオンギヤ１２２は上部プレート１１２ａおよび下部プレート１１２ｂ上面のラックギヤ１２４に対応して歯合される。前記ピニオンギヤ１２２が駆動モータ１２６によって回動すると、上部プレート１１２ａおよび下部プレート１１２ｂが摺動されて上部蓋１１４および下部蓋１１６が開閉される。
【００１５】
上部プレート１１２ａおよび下部プレート１１２ｂの両側面には、プレートが案内レール１２８に沿って移動できるように複数個のローラ１１８が設置される。
【００１６】
このような構成によれば、コントロールボックスでコントロールされる駆動モータ１２６によって下部蓋１１６が閉じた状態で上部蓋１１４が開くと、外部から投入口１１３を介して廃タイヤなどの焼却物がケース内部の下部プレート１１２ｂの上面に装填され、その後上部蓋１１４が閉じると、下部プレート１１２ｂの移動によって下部蓋１１６が開き、廃タイヤなどの焼却物が焼却室１３０内に投入される。
【００１７】
このように蓋を二重とすることにより、焼却室１３０内の熱及び燃焼ガスが外部に流出されることを防止することができる。
【００１８】
焼却室１３０内で焼却される廃タイヤなどの焼却物はその材質の特性上、燃焼されながらガスと灰を発生し、焼却後の残留灰は篩体１３２下の空間部１３４に落下し、その後排出スクリュー１３６によって外部へ排出される。
【００１９】
焼却物が焼却されるにつれて、焼却室１３０内の温度は引き続き上昇して臨界値に到達し、これにより焼却室１３０の内部は高温高圧になる。
【００２０】
その後、焼却物によって生成された高温高圧の燃焼ガスは、連結管１０ａを介して燃焼部２００内の流入部２２２に流入され、燃焼器２２０に進み、燃焼器２２０で酸素が供給されて圧力及び速度が調節され、点火部２２４に進む。
【００２１】
前記燃焼ガスは点火部２２４で点火器２２８によって点火される。点火器２２８は燃焼ガスに点火した後、燃焼部２００から分離される。
【００２２】
このような燃焼部２００では、その外壁が断熱煉瓦で断熱され、燃焼ガスが高温を維持できるから、点火された燃焼ガスが高温高圧の状態で自体燃焼され、これにより燃焼ガスが完全燃焼に近い状態で燃焼される。
【００２３】
前記点火部２２４で不完全燃焼された残留ガスは循環通路２１８を介して流入部２２２に再流入され、燃焼器２２０を再通過する。これにより、残留燃焼ガスを完全に燃焼させることができる。
【００２４】
前記循環通路２１８には循環空気注入管２１６が流入部２２２側へ貫通され、外部送風手段２１０からの空気が前記循環空気注入管２１６に供給されると、前記空気によって一定方向の流れが形成され、これにより点火部２２４で不完全燃焼された残留燃焼ガスが循環通路２１８に沿って流入部２２２に供給される。
【００２５】
このように点火部２２４で燃焼ガスが高温高圧の状態で燃焼されると、完全燃焼に近い状態となり、これにより毒性物質が殆ど燃焼された状態になる。
【００２６】
このように燃焼されたガスは、連結管１０ｂに沿って断熱材３１６によって断熱された吸熱部３００に進み、ガス循環管３１０に沿って吸熱部３００の内部に満たされた水を暖めた後、連結管１０ｃを経由してサイクロン４００に到達し、前記サイクロン４００で埃及び残留有害物質などが集塵されてから外部に排出される。
【００２７】
前記暖房水は、暖房暖房水流入管３１２を介して流入され、ガス循環管３１０に流れる高温のガスによって加熱された後、暖房水排出管３１４を介して排出され、所定の場所を暖房する。
【００２８】
なお、符号２１２、２１４は燃焼器に空気を供給する空気注入管を示し、２２６は流入部２２２と点火部２２４に積もった滓を除去できるように形成された掃除具を示し、３１８は暖房水が吸熱部３００内を循環できるようにする暖房水循環管を示す。
【図面の簡単な説明】
【００２９】
【図１】本発明による焼却装置を、蓋部を一部切開して示す斜視図である。
【図２】本発明による焼却装置の要部断面図である。
【図３】本発明による焼却装置の燃焼部の拡大断面図である。
【図４】図１のＡ部の拡大図である。
【符号の説明】
【００３０】
１００  ガス発生炉
２００  燃焼部
３００  吸熱部
４００  サイクロン
１０ａ、１０ｂ、１０ｃ  連結管
１１０  蓋部
１１２ａ  上部プレート
１１２ｂ  下部プレート
１１４  上部蓋
１１８  ローラ
１２０  ギヤ軸
１２２  ピニオンギヤ
１２４  ラックギヤ
１２６  駆動モータ
１２８  案内レール
１３０  焼却室
２２０  燃焼器
２２２  流入部
２２４  点火部
３１０  ガス循環管
３１２  暖房水流入管
３１４  暖房水排出管
３１６  断熱材
３１８  暖房水循環管
【国際公開パンフレット】
2004532965.tif 000003
2004532965.tif 000004
2004532965.tif 000005
2004532965.tif 000006
2004532965.tif 000007
2004532965.tif 000008
2004532965.tif 000009
2004532965.tif 000010
2004532965.tif 000011
2004532965.tif 000012
2004532965.tif 000013
2004532965.tif 000014
2004532965.tif 000015
2004532965.tif 000016
2004532965.tif 000017
2004532965.tif 000018
2004532965.tif 000019
2004532965.tif 000020
2004532965.tif 000021
2004532965.tif 000022
【国際調査報告】
2004532965.tif 000023